【手続補正書】
【提出日】平成17年9月7日(2005.9.7)
【手続補正１】
【補正対象書類名】明細書
【補正対象項目名】全文
【補正方法】変更
【補正の内容】
【書類名】          明細書
【発明の名称】    基板支持具とそれを用いた基板支持構造および制御機器
【特許請求の範囲】
【請求項１】  空隙を介して互いに対向する２枚の基板を、両端部で係合支持する基板支持具において、
支持具本体をほぼ棒状に形成するとともに、前記支持具本体の両端部に、弾性を有する基板支え片と、基板係合片とからなる基板保持部を設け、
前記基板係合片を、矢印状の弾性部と、前記弾性部上に形成した係合段部とで構成したことを特徴とする基板支持具。
【請求項２】  支持具本体をほぼ棒状に形成するとともに、前記支持具本体の両端部に、弾性を有する基板支え片と、基板係合片とからなる基盤保持部を設け、前記基板係合片を、矢印状の弾性部と、前記弾性部上に形成した係合段部とで構成した基板支持具の前記弾性部を、基板に形成した通し穴に通し、基板支えを、基板支えの弾力に抗して基板に押し付けるとともに、前記基板係合片の係合段部を基板の通し穴の周縁に係合させて、前記基板を支持したことを特徴とする基板支持構造。
【請求項３】  内部に基板を配置した制御機器において、請求項２に記載の基板支持構造を用いて前記基板を支持したことを特徴とする制御機器。
【発明の詳細な説明】
【０００１】
【発明の属する技術分野】
本発明は、制御機器等において基板と基板とを空隙を設けて重ねて固定する基板支持具とそれを用いた基板支持構造および制御機器に関するものである。
【０００２】
【従来の技術】
例えば、制御機器に使用する基板と基板を空隙を設けて重ねて配置する場合、棒状の基板支持具を用いて行っていた（特許文献１参照）。
近年、基板に穴を形成し、この穴に基板支持具を挿入させるとワンタッチで基板が基板支持具に係合固定するものが採用されている。
【０００３】
【特許文献１】
実公平６−１７３４９号公報
【０００４】
【発明が解決しようとする課題】
しかしながら、このような従来技術においては、基板を一度基板支持具に係合固定すると一方側からしか係合をはずすことができず、組立作業や保守点検作業に支障をきたすという問題があった。
本発明は、このような問題を解決するためになされたもので、基板の取付け取り外しが簡単に行える基板支持具とそれを用いた基板支持構造および制御機器を提供するものである。
【０００５】
【課題を解決するための手段】
上記問題を解決するため、本発明は、空隙を介して互いに対向する２枚の基板を、両端部で係合支持する基板支持具において、支持具本体をほぼ棒状に形成するとともに、前記支持具本体の両端部に、弾性を有する基板支え片と、基板係合片とからなる基板保持部を設け、前記基板係合片を、矢印状の弾性部と、前記弾性部上に形成した係合段部とで構成するようにしたものである。
また、このように構成した基板支持具の弾性部を、基板に形成した通し穴に通し、前記基板支えを、基板支えの弾力に抗して基板に押し付けるとともに、前記基板係合片の係合段部を基板の通し穴の周縁に係合させて、前記基板を支持するようにしたものである。
さらに、このようにして支持された基板を、制御機器の内部に配置するようにしたものである。
【０００６】
【発明の実施の形態】
以下、本発明の実施例を図に基づいて説明する。
図１は本発明の実施例における基板支持具を示す図で、（ａ）は正面図で、（ｂ）は側面図である。
図において、１は例えば樹脂材料で作られた基板支持具、２は支持具本体で、棒状に形成されている。３Ａ，３Ａは前記支持具本体２の両端部に設けた基板保持部で、弾性を有する基板支え片４と、基板係合片５とからなっている。なお、便宜上、紙面において上側に位置するものを上側基板保持部３Ａと呼び、下側に位置するものを下側基板保持部３Ｂと呼ぶ。前記基板係合片５は、先端部が丸みをおびた矢印状の弾性部５ａと、前記弾性部上に形成した係合段部５ｂとで構成されている。
このような構成の基板支持具を用いて、例えばヒートシンクに２枚の基板を空隙を設けて重ねて固定する基板支持構造を、図２によって説明する。
ヒートシンク６には、複数個の基板取付座７が設けられ、これらの基板取付座７に下側基板８がねじ９によって締付け固定されている。下側基板８には複数の通し穴１０が形成され、これらの通し穴１０に、上から基板支持具１の下側基板保持部３Ｂの基板係合片５を弾性部５ａの弾力に抗するようにして通す。基板係合片５が通し穴１０を通ると、基板支え片４が下側基板８の上面に当接する。前記基板支え片４は弾性を有しているので、この状態からでも基板支持具１の基板係合片５を押し込んでいくことができる。さらに基板係合片５を押し込んでいくと、基板係合片５の弾性部５ａ上に形成した係合段部５ｂが下側基板８の上面に現われる。と同時に、弾性部５ａが瞬間的に拡がって、係合段部５ｂが下側基板８の通し穴１０の周縁に係合する。これにより、弾力性のある基板支え片５ｂが下側基板８を、弾力で係合段部５ｂに押し付け、基板支え片４と係合段部５ｂとで強く挟持する。
下側基板８に基板支持具１が取付けられると、今度は上側基板保持部３Ａに上側基板１１を取付ける。前記上側基板１１にも下側基板８と同様に、複数の通し穴１２が形成されている。
これらの通し穴１２に、下から基板支持具１の上側基板保持部３Ａの基板係合片５を弾性部５ａの弾力に抗するようにして通す。基板係合片５が通し穴１２を通ると、基板支え片４が上側基板８の下面に当接する。前記基板支え片４は弾性を有しているので、この状態からでも基板支持具１の基板係合片５を押し込んでいくことができる。さらに基板係合片５を押し込んでいくと、基板係合片５の弾性部５ａ上に形成した係合段部５ｂが上側基板１１の上面に現われる。と同時に、弾性部５ａが瞬間的に拡がって、係合段部５ｂが上側基板１１の通し穴１２の周縁に係合する。これにより、弾力性のある基板支え片５ｂが上側基板８を、弾力で係合段部５ｂに押し付け、基板支え片４と係合段部５ｂとで強く挟持する。
これにより、上側基板１１と下側基板８とが空隙を介して重なってヒートシンク６に固定される。
逆に上側基板１１と下側基板８を基板支持具１からはずす場合は、上側基板保持部５Ａと下側基板保持部３Ｂの基板係合片５の弾性部５ａを弾力に抗してつまんで広がりを狭くしていくと、弾性部５ａの係合段部５ｂと、上側基板１１と下側基板８の通し穴１２，１０の周縁との係合がはずれ、基板支持具１から上側基板１１と下側基板８を取り出すことができる。
なお、前記弾性部５ａをつまんで広がりを狭くするのは、弾性部５ａがそれぞれの基板８，１１の両側にあるので、それぞれの基板８，１１の両側からすることができる。したがって、基板の組立作業や保守点検作業は、きわめて容易に行える。
【０００７】
【発明の効果】
以上述べたように、本発明によれば次のような効果がある。
（１）基板の上側と下側のどちらからも取外しができるので、基板の組立作業や保守点検作業をきわめて容易に行うことができる。
（２）基板に挿入された基板支持具は、ペンチなどの工具を用いることなく容易に取り外しができるので、作業性が向上する。
（３）基板の組立作業や保守点検作業をきわめて容易に行うことができる制御機器を提供することができる。
【図面の簡単な説明】
【図１】本発明の実施例における基板支持具を示す図で、（ａ）は正面図、（ｂ）は側面図である。
【図２】本発明の基板支持具を用いた基板支持構造を示す側面図である。
【符号の説明】
１    基板支持具
２    支持具本体
３Ａ  上側基板保持部
３Ｂ  下側基板保持部
４    基板支え片
５    基板係合片
５ａ  弾性部
５ｂ  係合段部
６    ヒートシンク
７    基板取付座
８    下側基板
９    ねじ
１０  通し穴
１１  上側基板
１２  通し穴